(57)【要約】      （修正有）【課題】画面のローテーションを補正したときに生じる、横線と縦線の補正のアンバランスを解消する。【解決手段】ローテーション補正コイル１と、内部磁気シールド３の電子銃側の開口部７とを陰極線管管軸と垂直な面に投影したときに、ローテーション補正コイル１の上下端部と開口部７の上下内縁部との間の距離と、ローテーション補正コイル１の左右端部と開口部７の左右内縁部との間の距離とがほぼ等しくなるように、ローテーション補正コイル１が設置されている。【選択図】  図２
2004304703.tif 000002
【特許請求の範囲】
【請求項１】
前面パネルとファンネルとからなる外囲器と、前記外囲器内に設けられた内部磁気シールドと、前記ファンネルのネック部内に設けられた電子銃と、前記ファンネルの外部に設けられた環状のローテーション補正コイルとを備える陰極線管装置において、
前記内部磁気シールドの前記電子銃側の開口部は、水平軸方向に長い略長方形であり、
前記ローテーション補正コイルと、前記内部磁気シールドの前記電子銃側の開口部とを、陰極線管管軸と垂直な面に投影したときに、前記ローテーション補正コイルの上下端部と前記開口部の上下内縁部との間の距離と、前記ローテーション補正コイルの左右端部と前記開口部の左右内縁部との間の距離とがほぼ等しくなるように、前記ローテーション補正コイルの大きさと形状とが設定されていることを特徴とする陰極線管装置。
【請求項２】
前記ローテーション補正コイルと、前記内部磁気シールドの前記電子銃側の開口部とを前記陰極線管管軸と垂直な面に投影したときに、前記開口部の内部に、かつ、前記開口部の内縁部に沿うように、前記ローテーション補正コイルが形成されている、請求項１に記載の陰極線管装置。
【発明の詳細な説明】
【０００１】
【発明の属する技術分野】
本発明は内部磁気シールドとローテーション補正コイルを備えた陰極線管装置に関し、特にローテーション補正コイルの設置構造に関するものである。
【０００２】
【従来の技術】
陰極線管の管軸方向の地磁気は、画面全体を回転させる。図６は、陰極線管に北磁界がかかった時の画面の回転方向を示す。陰極線管に北磁界（図６（ａ）中の矢印で示す）がかかると、画面９は管面正面から見た場合、反時計回りに回転する（図６（ｂ）中の破線１０で示す）。南磁界がかかったとき時の画面は、北磁界と反対の向きに回転する。
【０００３】
この画面の回転を補正するために、ローテーション補正コイルが一般的に用いられている。図４は、ローテーション補正コイル１と、陰極線管の内部に設けられた磁気シールド３（破線で示す）を、陰極線管の管軸と垂直な面に投影したときの位置関係を示す。内部磁気シールド３は、電子銃側に略長方形の開口部７を有する。ローテーション補正コイル１は、ほぼ円形のコイルである。ローテーション補正コイル１に直流の電流を供給し、陰極線管にかかっている地磁気と逆向きの磁界を発生させて、画面を反対向きに回転させて正常な画面としている（例えば特許文献１参照）。
【０００４】
【特許文献１】
特開２００２−７７９３３号公報
【０００５】
【発明が解決しようとする課題】
従来、ローテーション補正の効果は横線のみで判断されており、縦線の補正は見ることがなかった。特に、テレビジョン受像機ではこの判断が標準であった。近年、ＢＳデジタル放送などの進展に伴い、陰極線管の高画質化、高精細化が進み、画像の幾何学的な歪がより重要視されるようになってきた。
【０００６】
本発明者は、上記の従来技術でローテーションを補正すると、横線（水平軸と平行な線）を真っ直ぐに補正しても、縦線（垂直軸と平行な線）の補正が過補正になる等の、補正のアンバランスが発生することを見出した。この問題は、図３に示すように、内部磁気シールド３の電子銃側開口部７が垂直軸方向よりも水平軸方向に長い略長方形となるのに伴い顕在化してきた。
【０００７】
本発明は、このような課題を解決するものであり、画面のローテーションを補正するローテーション補正コイルを備えている陰極線管において、横線と縦線のローテーション補正のアンバランスを低減する陰極線管装置を提供することを目的とする。
【０００８】
【課題を解決するための手段】
本発明の陰極線管装置は、前面パネルとファンネルとからなる外囲器と、前記外囲器内に設けられた内部磁気シールドと、前記ファンネルのネック部内に設けられた電子銃と、前記ファンネルの外部に設けられた環状のローテーション補正コイルとを備える陰極線管装置において、前記内部磁気シールドの前記電子銃側の開口部は、水平軸方向に長い略長方形であり、前記ローテーション補正コイルと、前記内部磁気シールドの前記電子銃側の開口部とを、陰極線管管軸と垂直な面に投影したときに、前記ローテーション補正コイルの上下端部と前記開口部の上下内縁部との間の距離と、前記ローテーション補正コイルの左右端部と前記開口部の左右内縁部との間の距離とがほぼ等しくなるように、前記ローテーション補正コイルの大きさと形状とが設定されていることを特徴とする（請求項１）。
【０００９】
この構成により、内部磁気シールドとローテーション補正コイルとの磁気作用を、上下と左右とでバランスよく作用させることができる。
【００１０】
また、前記ローテーション補正コイルと、前記内部磁気シールドの前記電子銃側の開口部とを前記陰極線管管軸と垂直な面に投影したときに、前記開口部の内部に、かつ、前記開口部の内縁部に沿うように、前記ローテーション補正コイルが形成されることが好ましい（請求項２）。
【００１１】
この構成により、横線と縦線の補正のバランスよく補正することができ、またローテーション補正コイルを小型化できる。
【００１２】
【発明の実施の形態】
以下、発明の実施の形態について、図面を用いて説明する。
【００１３】
図１は、本発明の陰極線管装置の側面図である。陰極線管内部に設置されている内部磁気シールド３を破線で示している。図１に示すように、陰極線管は前面パネル２とファンネル部６とネック部５とで外囲器を構成する。画面ローテーションを補正するローテーション補正コイル１と、偏向電流を流して磁界を発生させ電子ビームを偏向走査する偏向ヨーク４と、電子ビームへの地磁気の影響をシールドする内部磁気シールド３とを備えている。
【００１４】
図３に示すように、内部磁気シールド３は４つの略台形の面から構成されており、前面パネル側と電子銃側にそれぞれ開口部を有する。電子銃側端部の４辺の内の２つの短辺には、前面側に向かう切り欠きが設けられている。内部磁気シールド３の電子銃側の開口部の形状は、陰極線管の管軸と垂直な平面に投影したときに、水平軸方向に長い略長方形である。
【００１５】
ローテーション補正コイル１にはリード線８が備えられており、リード線８を介してローテーション補正回路（図示せず）から直流電流を流すことで、管軸方向の地磁気による画面ローテーションを補正している。
【００１６】
図２は、本発明のローテーション補正コイルと内部磁気シールドとを、陰極線管管軸と垂直な平面に投影した図である。ローテーション補正コイル１を、内部磁気シールド３の電子銃側開口部７の相対的に内側になるように設置している。相対的に内側とは、図１に示すようにローテーション補正コイル１と内部磁気シールド３とは空間的に離れているが、ローテーション補正コイル１の外径が電子銃側開口部７の内径よりも小さく、かつ、真後ろから見たときにローテーション補正コイル１が電子銃側開口部７の内側に存在する状態である。
【００１７】
図２に示すように、内部磁気シールド３の電子銃側開口部７のエッジ（内縁部）と、ローテーション補正コイル１のエッジ（外縁部）との間の距離が、ほぼ等しく設定される。すなわち、左右のエッジ間の距離ａと、上下のエッジ間の距離ｂとが、ａ≒ｂとなるようにローテーション補正コイル１が設置される。
【００１８】
図５は、磁界の様子を示す（磁界の流れを矢印で示す）。ローテーション補正コイル１から発生するローテーション補正磁界が、内部磁気シールド３の全周にわたってほぼ均等に吸収される。これにより、内部磁気シールド３とローテーション補正コイル１との磁気作用を、水平軸方向と垂直軸方向とでバランスをとることができる。
【００１９】
本発明の作用について、図４を用いて説明する。
【００２０】
従来のローテーション補正コイル１と内部磁気シールド３の電子銃側開口部７との位置関係を見ると、電子銃側開口部７のエッジ（内縁）とローテーション補正コイル１のエッジ（外縁）との距離が、上下と左右とで大きく異なる。すなわち、左右のエッジ間の距離をａ、上下のエッジ間の距離をｂとすると、ａ＞ｂとなるようにローテーション補正コイル１が設置されている。また、上下は内部磁気シールド３の電子銃側開口部７のエッジをローテーション補正コイル１のエッジが超えている（重なる）が、左右は内部磁気シールド３の電子銃側開口部７のエッジをローテーション補正コイル１のエッジが超えていない。このため、補正磁界の流れ（図４中の矢印で示す）が、上下と左右とで不均等となる。ローテーション補正コイル１による補正が本来ならば全画面で均等となるところが、横線を真っ直ぐに補正しても縦線の補正が過補正になる等、補正のアンバランスの問題が発生すると考えられる。
【００２１】
これに対して本発明では、ローテーション補正コイルの上下端部と開口部の上下内縁部との間の距離と、ローテーション補正コイルの左右端部と開口部の左右内縁部との間の距離とがほぼ等しくなるように、ローテーション補正コイルの大きさと形状とを設定しているので、縦横の補正のアンバランスが低減されると考えられる。
【００２２】
なお、上記実施の形態では、ローテーション補正コイルを内部磁気シードの電子銃側開口部の相対的に内側に設けたが、この位置に限られない。ローテーション補正磁界が均一化する位置関係、すなわち、ローテーション補正コイルから発生する補正磁界が内部磁気シールドに交差する面積が、ローテーション補正コイルの全周にわたってほぼ均等になる位置であればよい。
【００２３】
〔実験例〕
本発明について、次のような実験を行った。アスペクト比４：３の２９型陰極線管を使用し、管面に格子状のクロスハッチ信号を映し出す。次に無磁界状態において消磁を行い、そのときの縦線と横線の位置を基準位置とする。北磁界をかけて画面を回転させ（図６）、ローテーション補正コイルにより横線が基準位置に戻るようにローテーション補正をかける。このときの縦線の位置が基準位置と比較してどれだけずれるかを測定した。
【００２４】
図７は、従来のローテーション補正コイルで補正したときの測定結果を示す。画面縦方向および横方向の中央の点線が基準位置を示し、実線がローテーション補正コイルでの補正後の位置を示している。図７に示すように反時計方向に回転した画面がローテーション補正をかけて横線を基準位置に戻るように補正すると、縦線は基準位置よりも時計方向に１ｍｍ傾いた位置までずれた。
【００２５】
この現象を検証するため、ローテーション補正で横線を５ｍｍ移動させたときの縦線の移動量を測定した。その結果を図８に示す。図８に示すように、縦線は横線と同じ量である５ｍｍ移動した。これは、縦線においてローテーション補正が過補正になっていることを示している。本来ローテーション補正はアスペクト比が４：３の陰極線管であれば、横線５ｍｍの補正をかけた場合、アスペクト比の関係から次の（１）式により縦線は３．７５ｍｍしか移動しない。
【００２６】
縦線移動量＝横線移動量×３÷４  ・・・（１）
従来のローテーション補正コイルの補正では、縦線が５ｍｍ移動しているため、過分に移動していることになる。なお、本来ローテーションは回転した角度を測定する方がより正確に計測できるが、アスペクト比が４：３であることから略正方形と考え、本実験例では移動量をアスペクト比換算した。
【００２７】
本発明の場合には、図９に示すように、縦線のずれ量をほぼ０ｍｍにすることができた。
【００２８】
【発明の効果】
本発明によれば、ローテーションを補正したときに、横線と縦線の補正のアンバランスを解消することができる。本発明は、ＢＳデジタル放送など高画質化、高精細化の進展に伴う画像の幾何学的歪の低減への要求を満たす陰極線管を提供するものである。
【図面の簡単な説明】
【図１】本発明の陰極線管装置の側面図
【図２】本発明のローテーション補正コイルと内部磁気シールドとの位置関係を示す陰極線管の背面図
【図３】内部磁気シールドの斜視図
【図４】従来のローテーション補正コイルと内部磁気シールドの位置関係と、補正磁界の流れを示す図
【図５】本発明のローテーション補正コイルと内部磁気シールドの位置関係と、磁界の流れを示す図
【図６】北磁界をかけたときの画面の回転を示す図
【図７】従来技術における補正オーバー量を表す図
【図８】横線と縦線の補正量を示す図
【図９】本発明における補正結果を示す図
【符号の説明】
１  ローテーション補正コイル
２  前面パネル
３  内部磁気シールド
４  偏向ヨーク
５  ネック
６  ファンネル
７  電子銃側開口部
【図１】
2004304703.tif 000003
【図２】
2004304703.tif 000004
【図３】
2004304703.tif 000005
【図４】
2004304703.tif 000006
【図５】
2004304703.tif 000007
【図６】
2004304703.tif 000008
【図７】
2004304703.tif 000009
【図８】
2004304703.tif 000010
【図９】
2004304703.tif 000011